(57)【要約】【課題】  本発明は、滑りずらくかつ安全性を高め建物へ密着固定ができ、建築関連を始め安全で幅広い作業に役立て安心に作業を行なう事が出来る梯子を提供する事にある。【解決手段】  上記のような目的を達成する為に請求項１及び２記載の本発明の梯子は、最上段と二番目のステップ部分に、滑り止め手段を設けた７５度曲げのストッパ−金具と隙間調整アジャスタ−を共に使用する事で安定性と安全性の確保が出来る事を特徴とする構成である。【選択図】      図３
2007138660.tif 000002
【特許請求の範囲】
【請求項１】
梯子を屋根の勾配等に立て掛ける際、梯子最上段のステップ下場部分に屋根の勾配等に固定が出来る、７５度に折り曲げたアルミニウム部材から形成されたストッパ−金具にビス及び釘止め金具を設けた事を特徴とする梯子。
【請求項２】
梯子を屋根の勾配等に立て掛ける際、梯子上段二番目のステップ上場部分、下っている側縁にアルミニウム部材から形成された梯子のバランスを安定させる為重要な、隙間調整アジャスタ−を設けた事を特徴とし、７５度曲げストッパ−金具と隙間調整アジャスタ−で構成出来る事で梯子を安定させ建物に密着固定が出来る事を特徴とする梯子。
【請求項３】
梯子を建物の壁面等に立て掛ける際、梯子本体の最上段部分に横倒れを防ぐ為アルミニウム部材から形成された首振り密着バ−を水平に設けた事を特徴とし、首振り密着バ−と隙間調整アジャスタ−で構成出来る事で梯子を建物に密着固定が出来る事を特徴とする梯子。
【請求項４】
梯子を屋根の軒先等に立て掛ける際、梯子最上段のステップ上場部分に梯子と首振り密着バ−を接続する為に、１２０度に折り曲げた受け金具を設けた事を特徴とする梯子。
【請求項５】
安全性に対し一番重要なポイントの滑り止め手段を設けた、さまざまな形状の金具に建物へ密着固定をする為のビス及び釘止め穴を設けた事を特徴とする梯子。
【発明の詳細な説明】
【技術分野】
【０００１】
本発明は、電線工事や建物への上り下りを始め各種建築関連の作業に使用する梯子に関するものである。
【背景技術】
【０００２】
一般的な梯子は軒先や壁面等に立て掛ける物で建物などに固定をするなど安全を確保できる工夫がなかった。その為雨樋の掃除や窓拭き及び建築関連の工事も滑り止めの付いていない又、建物などに密着固定などの出来ない、横倒れの可能性のある危険性を感じさせる梯子を使用していた。又、従来の梯子は、梯子の足元などに転倒防止器具を取り付けたり梯子の中段部分から伸びる補助器具を設けた工夫はあるが、梯子本体が重くなり車からの積み下ろし及び立て掛ける場所の移動をする事で体力を消耗するとゆう背景があった。
【０００３】
例えば立て掛けた梯子の密着部分が梯子の縁で相手が金属系の時、密着面が雨などで濡れていて滑りやすい時、作業をする際無理な体勢の時、又、斜め勾配の場所で梯子のバランスが悪い時は、下で梯子を支えてもらい倒れないようにし作業を行なっている。
【０００４】
しかしながら従来の梯子は、支柱とされている部分の縁と、その天辺、及びステップとされている最上段の三点が立て掛けた物に密着出来るが、安全を確保出来る工夫がなかった観点から問題であった。又、転倒防止器具や伸縮補助器具は足元が雨や霜などで、ひどくぬかっている時は梯子の移動が大変である。
【０００５】
尚、梯子に関する特許文献としては、次のような文献がある。
【特許文献１】２００４−１７６５０２号公報
【特許文献２】２００４−  ４４３５０号公報
【特許文献３】２００２−３３９６７８号公報
【特許文献４】２００１−１５９２８６号公報
【発明の開示】
【発明が解決しようとする課題】
【０００６】
本発明は、滑りずらくかつ安全性を高め建物へ密着固定ができ、安全で幅広い作業に役立て安心に作業を行なう事が出来る梯子を提供する事にある。
【課題を解決するための手段】
【０００７】
上記のような目的を達成する為に請求項１記載の本発明の梯子は、最上段のステップ下場部分の梯子本体に滑り止め手段を設けた７５度曲げストッパ−金具に、ビス及び釘止め金具を設けた事を特徴とする構成である。
【０００８】
請求項2記載の本発明の梯子は、梯子の上段二番目のステップ上場部分に梯子の支柱とされる縁に滑り止め手段を設けた隙間調整アジャスタ−を設けた事を特徴とする構成である。
【０００９】
請求項2記載の本発明は、1記載の７５度曲げのストッパ−金具と、隙間調整アジャスタ−を共に使用する事で安定性と安全性を確保出来る事を特徴とする構成である。
【００１０】
壁面等に立て掛けた梯子の安定は良いが作業の内容によっては、（無理な体勢、力を必要とする作業）は、危険を、生じる可能性がある為請求項3記載の本発明は、梯子本体の最上段部分に横倒れを防ぐ為滑り止め手段を設けた首振り密着バ−を水平に設けた事を特徴とする構成である。
【００１１】
請求項３記載の本発明は、2記載の隙間調整アジャスタ−と共に使用する事で作業項目が
広がる事を特徴とする構成である。
【００１２】
請求項４記載の本発明は、梯子最上段のステップ上場部分へ梯子の支柱とされる縁に１２０度曲げの受け金具を下向きに取り付け首振り密着バ−を設けた事を特徴とする構成である。
【００１３】
請求項５記載の本発明は、梯子を建物に密着部が多くとれるよう、さまざまな形状の金具を設け建物へ固定が出来る手段としてそれぞれ建物への密着金具に、ビス及び釘止め穴を設けた事を特徴とする構成である。
【発明の効果】
【００１４】
本発明の梯子は、７５度に折り曲げたストッパ−金具と隙間調整アジャスタ−に、ビス及び釘止め穴を空けておき滑り止め手段を設け、さらにビス及び釘止め金具をストッパ−金具に一体可し共に屋根勾配と隙間を調整する事により梯子のバランス（安定）も良く安全に作業が行なえる。尚、安全快適に作業を行なう為にストッパ−金具には建物の、ケラバ部分（コ−ナ−）に上からと脇からビス及び釘で固定をする事により安定し安全の確保ができ、作業中であっても梯子を支えてもらう補助者が必要なくなった。
【００１５】
壁面等に立て掛けた梯子も同じく首振り密着バ−に滑り止め手段を設けビス及び釘止め穴を使用しビス及び釘を用いて建物に密着固定をする事で安全を確保出来る。
【発明を実施するための最良の形態】
【００１６】
一般的な梯子は、軒先や壁面に立て掛ける物で建物のやぎりや勾配の付いた所などに立て掛けると不安定で滑りやすく倒れて大変危険である事から本発明の梯子を工夫し斜め勾配が付いた所でも安心して大要出来る梯子を工夫してみた。以下、本発明を実施するための最良の形態を図に示す例に基づいて説明する。
【００１７】
図３での説明    梯子を建物に立て掛ける安全角度が７５度、程度なので密着部分を多くとれるよう２のストッパ−金具を７５度に曲げておきます。その２の金具には、ビス及び釘止め穴を空け滑り止め手段を設けておきます。この２の金具は建物（立て掛けた物）の上に、梯子のずれ止めのストッパ−として載せる事が出来ます。勾配の所には角度を合わせ、水平の所では水平に合わせ固定をして立て掛け、必要に応じてビス及び釘で上から固定をします。
【００１８】
図１での説明    ２のストッパ−金具の両端部と、支柱とされている間の３ヶ所に５のビス及び釘止め金具を２の金具に一体可しておきます。必要に応じて５の金具に脇から固定をします。又、３の隙間調整アジャスタ−にもビス及び釘止め穴を空けておきます。
【００１９】
図２での説明    建物の妻側に立て掛けた梯子は、屋根の勾配に応じて（軒側、下っている側に）隙間が開きます。その勾配によって異なる隙間は滑り止め手段を設けた３の隙間調整アジャスタ−を建物に密着するよう出入りを調整します。３のアジャスタ−が建物に密着した事で梯子のバランスが良く壁面に立て掛けたような安定感があります。又、必要に応じてビス及び釘で脇から固定をします。
【００２０】
図２のつづき    ２の金具と３のアジャスタ−を共に調整し使用する事で屋根の斜め勾配のついた所、その他傾斜の所でも立て掛けた梯子は建物に密着が出来る事で安定性に対し効果を発揮する。尚、安全に作業を行なうには上からと脇からビス及び釘で固定をします。
【００２１】
図４での説明    屋根の勾配に応じて異なる２の金具の勾配角度を変えるには、６の勾配角度調整穴を使用し角度調整をします。又、勾配の左右も６の穴を使用し変る事が出来ます。その他、７の首振り密着バ−と９の１２０度曲げ受け金具も上の穴を使用して取り付けます。
【００２２】
図５での説明    壁面等に梯子を立て掛ける際は、梯子本体の最上段近くに滑り止め手段を設けた７の首振り密着バ−を取り付け、同じく建物へ密着固定が出来るようビス及び釘止め穴を空けておきます。
【００２３】
図６での説明    梯子本体を壁面等に立て掛ける安全角度が７５度程度ではあるが、立て掛ける場所の状況によっては理想どおりには立て掛けられない。そこで７の首振り密着バ−が、自在に向きが変わる事で壁面部に密着が出来る。又、必要に応じて脇から建物へ固定をします。
【００２４】
図６のつづき    屋根の軒先に立て掛ける際は、梯子の縁が建物に接触するが、接触部が少ない所に相手が金属系や瓦である時は、やはり滑りやすく横倒れの危険性がある為梯子本体に密着バ−を取り付ける為に９の１２０度曲げの受け金具を使用する事で軒先上からも密着面を取る事も出来る。さらに必要に応じて上から固定をします。
【００２５】
（金具）９の１２０度曲げ受け金具は、屋根の軒先上から7を密着固定する為の受け金具であるが、２の金具を始め受け金具の形状を変えたり、張り出し金具を工夫するなど、取り付け向きを変える事でさまざまな密着部品が取り付けられ、あらゆる梯子関係（立て掛ける物）に大要出来る。
【００２６】
（密着）２の金具、３のアジャスタ−、７のバ−が建物へ密着するが、それ以外でも立て掛ける場所に応じては、密着部品の形状を変え取り付けられる。それらの建物への密着部品は、すべて滑り止め手段を設けておく。
【００２７】
（固定）２の金具、３のアジャスタ−、５の金具、７のバ−には、それぞれ建物へ固定が出来るようビス及び釘止め穴を空けておく。又、必要に応じて５の金具は数を増やす事も出来る。梯子が倒れぬよう安全性を確保する為の重要なポイントである。
【００２８】
（梯子）本発明の梯子は、さまざまな受け金具や密着固定部品は、一本梯子、繋ぎ梯子、伸縮梯子、脚立、その他以外（立て掛ける物）でも、ボルト止めの出来る穴を空けられる事で密着固定部品を後付けでき又、現在使用している梯子や脚立などにも後付けできる作りにして置きます。密着固定部品は、いくつかの大きさの種類を揃えて置きます。
【００２９】
本発明は、これらの建物への密着固定部品を梯子本体に簡単に取り外しができ、又梯子の縁に収納も可能で、なるべく移動及び収納が楽なように部品一つ一つを軽量化し梯子の使い勝手を良くして置く。
【００３０】
尚、力を必要とする作業や無理な体勢の作業の時は建物のケラバ部分（建物のコ−ナ−）に、上からはビス及び釘止め穴に、脇からはビス及び釘止め金具に、建物に密着している部品には穴を使用して建物へ密着固定させる事により「安定」「安全」「安心」だからこそ「快適」「完璧」に解決し最良の効果を発揮する。
【実施例】
【００３１】
私は、建物の妻（やぎり部分）に梯子のバランスを良く、立て掛けたくて工夫しました。建物の勾配に対し角度を合わせ又、隙間調整アジャスタ−で隙間を無くし建物に密着させる事で梯子の揺れはありません。その為ほとんどビス及び釘での固定は不要です。私は、外壁の張り替え工事の際、どうしても建物の妻のやぎり（斜め勾配の部分に）梯子を立て掛けなければならない事があります。その為立て掛けた梯子のバランスを良くしたくオリジナルで作りなした。使用してみるとバランスが良い事で梯子を支える人も不要になり安心して作業が行なえるので作業がはかどるようになりました。私が使用していた梯子を基にさらに活用性と安全性に対し工夫を凝らし、本発明を紹介し実施例の一部として説明しました。
【図面の簡単な説明】
【００３２】
【図１】本発明の１梯子本体と、２と４と５を示す立面図である。
【図２】本発明の１梯子本体と、２と３と10を示す側面図である。
【図３】本発明の１梯子本体と、２と３と４と７を示す横斜図である。
【図４】本発明の１梯子本体と、２と３と５と４と６を、示す平面図である。
【図５】本発明の１梯子本体と、４と７を示す平面図である。
【図６】本発明の１梯子本体と、７と８と９と10と11を示す側面図である。
【符号の説明】
【００３３】
１    梯子本体
２    ７５度曲げストッパ−金具
３    隙間調整アジャスタ−
４    ビス及び釘止め穴
５    ビス及び釘止め金具
６    勾配角度調整穴
７    首振り密着バ−
８    調整ボルト
９    １２０度曲げ受け金具
１０  滑り止め手段
１１  止めボルト
【図１】
2007138660.tif 000003
【図２】
2007138660.tif 000004
【図３】
2007138660.tif 000005
【図４】
2007138660.tif 000006
【図５】
2007138660.tif 000007
【図６】
2007138660.tif 000008
【手続補正書】
【提出日】平成18年12月6日(2006.12.6)
【手続補正１】
【補正対象書類名】特許請求の範囲
【補正対象項目名】請求項１
【補正方法】変更
【補正の内容】
【請求項１】
梯子を、勾配のある建物の妻側の屋根等に立て掛ける際、７５度に折り曲げたアルミニウム部材から形成されたストッパー金具を屋根等の勾配に合わせて固定し、屋根等の勾配の下っている側の梯子側縁のみにアルミニウム部材から形成された隙間調整アジャスターを設け、屋根等の勾配の下っている側と梯子との間に開いた隙間を、隙間調整アジャスターの出入りを調整して建物に密着させることにより、梯子を安定させ建物に密着固定が出来る事を特徴とする梯子。